(57)【特許請求の範囲】
【請求項１】
上部に洗い場排水口と下部に雑排水口を備えたマス部に、浴槽排水口と浴槽受け排水口をそれぞれホースを介して接合した構成において、浴槽受け排水口に着脱可能に設けた逆流防止装置に、上方からの水圧に対して開放し且つ下方からの水圧に対しては閉塞するようになった逆止弁により開閉する流入口と、大気中に開放された空気抜き口とを備えた浴室の排水装置。
【請求項２】
浴槽を移動せずに逆流防止装置が着脱可能な請求項１記載の浴室の排水装置。
【請求項３】
逆流防止装置の下部には先端部に突起を有する複数の係合片を設け、浴槽受け排水口に係合可能な構成の請求項１又は２記載の浴室の排水装置。
【発明の詳細な説明】
【０００１】
【発明の属する技術分野】
本発明は、浴室の排水装置に関するものである。
【０００２】
【従来の技術】
図５に示すように浴室の床回りが、洗い場１と浴槽（図示せず）および前記浴槽を受ける浴槽受け２で構成する浴室においては、従来、浴槽の排水は浴槽排水管３から屈曲部４を通過して直接雑排水管に流出する経路を一般的に使用している。すなわち、屈曲部４を設けることにより、屈曲部４に水が溜まり排水口からの臭いなどの上昇を抑制する機能が発揮できる。
【０００３】
一方、洗い場排水と浴槽受け排水は、各々洗い場排水口５と浴槽排水口６から洗い場排水口５の下方に設けたマス部７を通して雑排水管に流出するようにしていた。この場合、マス部７を設けることによりマス部７に水が溜まり排水口からの臭いなどの上昇を抑制する機能を備えている。
【０００４】
【発明が解決しようとする課題】
しかしながら、浴室の排水装置としてマス部や屈曲部を設け、排水からの臭いなどの上昇を抑えることは必要であるが、雑排水経路にさらにマス部または屈曲部を設けられ２重トラップとなった場合は、逆流などの恐れがあり、その場合は、最も低い位置にある浴槽受け排水口６から逆流し、浴槽受けに水が溜まった状態になり衛生的な問題が発生する課題であった。また、洗い場マス部と高低差の少ない浴槽受けに水が溜まった場合に、短時間に排水できないという課題があった。一方、浴槽の排水経路に屈曲部を設ける部品構成にすることにより、排水装置として余分なコストがかかるとい課題もあった。
【０００５】
【課題を解決するための手段】
上部に洗い場排水口と下部に雑排水口を備えたマス部に、浴槽排水口と浴槽受け排水口をそれぞれホースを介して接合した構成において、浴槽受け排水口に着脱可能に設けた逆流防止装置に、上方からの水圧に対して開放し且つ下方からの水圧に対しては閉塞するようになった逆止弁により開閉する流入口と、大気中に開放された空気抜き口とを備えたものである。
【０００７】
【発明の実施の形態】
本発明の請求項１にかかる発明は、上部に洗い場排水口と下部に雑排水口を備えたマス部に、浴槽排水口と浴槽受け排水口をそれぞれホースを介して接合した構成において、浴槽受け排水口に着脱可能に設けた逆流防止装置に、上方からの水圧に対して開放し且つ下方からの水圧に対しては閉塞するようになった逆止弁により開閉する流入口と、大気中に開放された空気抜き口とを備えたものである。
【０００８】
そして、浴槽受け排水口に逆流防止装置を設けることにより、雑排水経路が２重トラップになった場合においても、浴槽受けへの逆流が確実に防止できる。また大気中に開放された空気抜き口を設けたことにより、洗い場マス部と高低差の少ない浴槽受けに水が溜まった場合でも、短時間で排水できるようにすることができる。しかも、逆流防止装置を浴槽受け排水口に着脱可能とすることにより、メンテナンス性に優れた排水装置とすることができ、簡単な部品構成であるので安価に供給することができる。
【００１１】
本発明の請求項２にかかる発明は、浴槽を移動せずに逆流防止装置が着脱可能な構成とする。
【００１２】
そして、浴槽を移動するなどの大掛かりな工事を伴わず、洗い場側からエプロンを取り外すことにより、容易に逆流防止装置を着けたり外したりできるので、特にメンテナンス性に優れた浴室の排水装置を提供することができる。
【００１３】
本発明の請求項３にかかる発明は、逆流防止装置の下部には先端部に突起を有する複数の係合片を設け、浴槽受け排水口に係合可能な構成とする。
【００１４】
そして、逆流防止装置は係合片により、浴槽受け排水口に工具を使用せずに容易に着脱することができるため、メンテナンス性に優れた浴室の排水装置を提供することができる。
【００１５】
【実施例】
以下、本発明の実施例について図1〜図4を参照しながら説明する。
【００１６】
図１に本発明の実施例の浴室の排水装置を浴室に設置した状態を示す断面図、図２は同浴室の排水装置の斜視図である。上部に洗い場排水口１１を有し、トラップ機能を備えたマス部13は洗い場８に螺合しており、前記マス部13の側面には浴槽排水ホース１０ａと浴槽受け排水ホース１２ａがそれぞれ接合されており、また前記マス部１３の側面に設けられ雑排水口１４には雑排水管１４ａが接合されており、これらは全てマス部13を介して連通している。
【００１７】
前記浴槽排水ホース１０ａの他端は浴室排水口１０に接合しており、前記浴槽受け排水ホースの１２ａ他端は浴槽受け排水口１２に接続されている。また前記浴槽受け排水口１０には逆流防止装置１５が着脱自在に係合している。
【００１８】
図３は逆流防止装置１５の詳細を示す断面図であり、略円錐形の本体１６の上面には流入口１６ａと空気抜き口１６ｂが設けられており、前記空気抜き口１６ｂにはチューブ１７が接続され、チューブ１７の他端は大気中に開放されている。
【００１９】
前記流入口１６ａの下部にはフッソゴム等の軟質材料からなる逆止弁１８が逆止弁おさえ１９により取り付けられ、上方からの水圧に対しては開放し、下方からの水圧に対しては閉塞するように設定されている。本体１６の下部には先端部に突起２０ａを有する複数の係合片２０が設けられており、前記係合片２０により浴槽受け排水口１２に確実に固定でき、かつ容易に取り外すことのできる構成になっており、また本体１６の外周部には浴槽受け排水口１２との水密性を確保する防水パッキン２１が取り付けられている。
【００２０】
図４は浴槽受け排水口１２から逆流防止装置１５を取り外した状態を示す斜視図であり、逆流防止装置１５は浴槽９を移動することなく、浴槽受け排水部口１２に着脱可能な構成となっている。
【００２１】
次に動作、作用についてせつめいすると、浴槽排水と洗い場排水と浴槽受け排水が、各々浴槽排水口１０と洗い場排水口１１および浴槽受け排水口１２から、マス部１３を通って雑排水口管１４ａに流出する排水経路となっており、前記排水経路においてマス部１３がトラップ機能を果たしており、雑配水管１４ａからの悪臭の流入を防止している。
【００２２】
また雑配水管１４ａが２重トラップになった場合に排水の逆流現象が発生し、マス部１３から水が逆流し浴槽受けの方向に水が流れようとした場合には、逆止弁１６が逆流してくる水の圧力で閉じるようになっており、浴槽受けへの水の流入を防止することができる。
【００２３】
一方、浴槽受けに溜まった水は通常は開放状態である逆止弁１８を通過して、マス部１３へ流入する。この場合、マス部１３と高低差の少ない浴槽受けに溜まった水であっても、空気抜き口１６ｂより空気が抜けることにより逆止弁１８近傍まで短時間で排水できる。
【００２４】
さらに、逆流防止装置１５が万が一故障した場合、浴槽を移動するなどの大掛かりな工事を伴わず、洗い場側からエプロンを取り外すことにより、逆流防止装置１５を容易に外しメンテナンスを行うことができる。
【００２５】
また、図２で示すように簡単な構成で排水経路を構成できるので、従来の構成と比較し安価に浴室の排水装置を供給することができる。
【００２６】
【発明の効果】
以上の説明から明らかのように本発明の浴室の排水装置は、浴槽受けへの逆流が確実に防止でき、洗い場マス部と高低差の少ない浴槽受けに水が溜まった場合でも、短時間で排水することができる。しかも、逆流防止装置を浴槽受け排水口に着脱可能とすることにより、メンテナンス性に優れた排水装置とすることができ、しかも簡単な部品構成であるので安価に供給することができるという効果がある。
【図面の簡単な説明】
【図１】本発明の実施例における浴室の排水装置の断面図
【図２】本発明の実施例における浴室の排水装置の斜視図
【図３】本発明の実施例における逆流防止装置の断面図
【図４】本発明の実施例における浴槽受け排水口周辺の要部斜視図
【図５】従来の浴室の排水装置を示す斜視図
【符号の説明】
１０  浴槽排水口
１１  洗い場排水口
１２  浴槽受け排水口
１３  マス部
１４  雑排水口
１５  逆流防止装置
１８  逆止弁
２０  係合片
【図１】
0004081301.tif 000002
【図２】
0004081301.tif 000003
【図３】
0004081301.tif 000004
【図４】
0004081301.tif 000005
【図５】
0004081301.tif 000006